(57)【特許請求の範囲】
【請求項１】
情報記録領域を備えた円盤状の磁気記録媒体と、
上記磁気記録媒体に記録磁界を印加して上記磁気記録媒体の周方向に延びる記録列を形成することで情報の記録を行う磁気記録素子と、
上記磁気記録媒体からの漏洩磁界を検出して情報の再生を行う磁気再生素子と、
上記磁気記録媒体と上記磁気記録素子及び上記磁気再生素子との相対位置を上記磁気記録媒体の上記周方向及び半径方向に移動させる移動機構と、
上記情報記録領域において、上記半径方向に関して互いに隣接する上記記録列が上記半径方向に部分的に重複するように上記磁気記録素子及び上記移動機構を制御する磁気記録素子制御手段とを備えており、
上記磁気記録素子制御手段は、
上記記録列のそれぞれに、
互いに隣接する上記記録列のいずれかと上記半径方向に部分的に重複する重複部と、
他のいずれの上記記録列とも上記半径方向に重複しない非重複部と、
が形成されるように、且つ、
上記半径方向に隣接した３本の上記記録列のうち中央の上記記録列に隣接する２本の記録列の両方が上記中央の記録列によって上書きされることで、当該上書きされた記録列に上記非重複部を残しつつ上記重複部が形成されるように、制御することを特徴とする磁気記録再生装置。
【請求項２】
第１記録列の、内周側及び外周側の端の半径位置をそれぞれ、Ｒ１ｉｎ及びＲ１ｏｕｔとし、
上記第１記録列の外周側に隣接する第２記録列の、内周側及び外周側の端の半径位置をそれぞれ、Ｒ２ｉｎ及びＲ２ｏｕｔとし、
上記第２記録列の外周側に隣接する第３記録列の、内周側及び外周側の端の半径位置をそれぞれ、Ｒ３ｉｎ及びＲ３ｏｕｔとするとき、
上記磁気記録素子制御手段が、
Ｒ１ｉｎ＜Ｒ２ｉｎ＜Ｒ１ｏｕｔ＜Ｒ３ｉｎ＜Ｒ２ｏｕｔ＜Ｒ３ｏｕｔ
となるように、制御することを特徴とする請求項１に記載の磁気記録再生装置。
【請求項３】
上記磁気再生素子の上記半径方向における幅をＷｒとすると、
（Ｒ３ｉｎ−Ｒ１ｏｕｔ）＞Ｗｒ／２
であることを特徴とする請求項２に記載の磁気記録再生装置。
【請求項４】
上記磁気記録媒体にトラッキングパターンが形成されており、
上記第２記録列に形成された上記非重複部の再生時において、上記トラッキングパターンから検出される信号に基づき、上記磁気再生素子の上記半径方向における中心位置Ｐｒが、
Ｒ１ｏｕｔ＜Ｐｒ＜Ｒ３ｉｎ
を満たすように、上記磁気再生素子及び上記移動機構を制御する磁気再生素子制御手段をさらに備えていることを特徴とする請求項２又は３に記載の磁気記録再生装置。
【請求項５】
周方向に延びる複数の記録列が形成された情報記録領域を備えた円盤状の磁気記録媒体であって、
上記記録列のそれぞれに、
互いに隣接する上記記録列のいずれかと半径方向に部分的に重複する重複部と、
他のいずれの上記記録列とも上記半径方向に重複しない非重複部と、
が形成されており、且つ、
上記半径方向に隣接した３本の上記記録列のうち中央の上記記録列に隣接する２本の記録列の両方が上記中央の記録列によって上書きされることで、当該上書きされた記録列に上記非重複部を残しつつ上記重複部が形成されていることを特徴とする磁気記録媒体。
【請求項６】
第１記録列の、内周側及び外周側の端の半径位置をそれぞれ、Ｒ１ｉｎ及びＲ１ｏｕｔとし、
上記第１記録列の外周側に隣接する第２記録列の、内周側及び外周側の端の半径位置をそれぞれ、Ｒ２ｉｎ及びＲ２ｏｕｔとし、
上記第２記録列の外周側に隣接する第３記録列の、内周側及び外周側の端の半径位置をそれぞれ、Ｒ３ｉｎ及びＲ３ｏｕｔとするとき、
Ｒ１ｉｎ＜Ｒ２ｉｎ＜Ｒ１ｏｕｔ＜Ｒ３ｉｎ＜Ｒ２ｏｕｔ＜Ｒ３ｏｕｔ
が成り立っていることを特徴とする請求項５に記載の磁気記録媒体。
【発明の詳細な説明】
【技術分野】
【０００１】
本発明は、Ｓｈｉｎｇｌｅ記録（瓦記録）方式のような高密度に情報を記録可能な磁気記録再生装置及び磁気記録媒体に関する。
【背景技術】
【０００２】
近年、画像又は映像の高画質化が進み、ユーザが扱う情報量は益々増加している。このため、ＨＤＤ（Hard Disk Drive）と呼ばれる磁気記録装置の大容量化に向けて、面記録密度の高密度化の検討が広く行われている。高密度磁気記録における有望な技術の一つとして、特許文献１で開示されているような、トラックの幅方向に隣接する直前に記録された記録列と部分的に重複するように記録を行うＳｈｉｎｇｌｅ記録（瓦記録）方式が挙げられる。
【０００３】
一般に、磁気記録媒体に形成されるトラックのピッチは、形成される最短マーク長より数倍程度大きくなる。しかしながら、Ｓｈｉｎｇｌｅ記録方式では、直前に記録された隣接する記録列が部分的に重複するように記録が行われるため、最終的に形成されるトラックのピッチを最短マーク長程度に小さくすることが可能となる。つまり、直前に記録された隣接する記録列の一部を上書きする形で記録が行われるため、単位長さ当たりのトラック数が数倍程度多くなり、記録密度の大幅な向上を図ることが可能である。
【先行技術文献】
【特許文献】
【０００４】
【特許文献１】特開２０１１−８８８１号公報（２０１１年１月１３日公開）
【発明の概要】
【発明が解決しようとする課題】
【０００５】
しかしながら、特許文献１の装置では、ある記録列を書き換える際に、当該記録列以降に形成された記録列を書き換える動作が必要となり、実質的記録レート（書き換えられた記録列の情報量／書き換えるべき記録列を書き換え且つそれ以外の記録列の情報を書き換えないままとするために要する時間）が低下してしまう虞がある。この点について、図７（ａ）〜図７（ｄ）を用いて説明する。
【０００６】
図７（ａ）は、磁気記録媒体においてトラックの幅方向（媒体の半径方向）に隣接する記録列同士が部分的に重複するように複数の記録列を形成した状態を示す図である。具体的には、各記録列が半径方向に隣接する２つ記録列のいずれかと半径方向の全範囲において互いに重なり合った重複部となっている。図７（ａ）〜図７（ｄ）では、最終的に得られる各トラック（再生時の各トラック）の境界線と各トラックの中心線とを、それぞれ点線と一点鎖線で示している。図７（ｂ）は、図７（ａ）のトラックＴｒ１０２を書き換えるために、トラックＴｒ１０２´を形成するための記録列を記録した後の状態を示す図である。
【０００７】
当初、トラックＴｒ１０１を形成するための記録列は、トラックＴｒ１０２を形成するための記録列よりも先に形成されていたため、トラックＴｒ１０１の情報は書き換えられずに残っている。一方、トラックＴｒ１０３においては、Ｔｒ１０２´を形成するための記録列によって上書きされてしまい、この状態で、トラックＴｒ１０３を再生しようとすると、再生エラーが発生する。このため、当初、トラックＴｒ１０２を形成するための記録列よりも後に形成されたトラックＴｒ１０３を形成するための記録列と同じ情報の内容で、トラックＴｒ１０３´を形成するための記録列を上書きしなければならない。図７（ｃ）に、トラックＴｒ１０３´を形成するための記録列を上書きした後の概略図を示す。同様にして、当初、トラックＴｒ１０２を形成するための記録列よりも後に形成されていた記録列は全て、順次上書きをしなければならない。図７（ｄ）に、当初、トラックＴｒ１０２を形成するための記録列よりも後に形成されていた記録列を全て上書きした後の概略図を示す。
【０００８】
このように、トラックＴｒ１０２だけを書き換えるには、トータルで、トラックＴｒ１０２´を形成するための記録列を形成する時間と、トラックＴｒ１０２を形成するための記録列よりも後に形成されていた記録列を全て上書きする時間が必要となり、従来の記録方法と比較して、実質的に、数倍程度の長い書き換え時間を要することになる。
【０００９】
本発明の目的は、高密度記録可能なＳｈｉｎｇｌｅ記録（瓦記録）方式を採用した場合において、書き換え時の実質的記録レートの低下を防止し、再生エラーが生じ難い磁気記録再生装置及び磁気記録媒体を提供することにある。
【課題を解決するための手段】
【００１０】
本発明の磁気記録再生装置は、情報記録領域を備えた円盤状の磁気記録媒体と、上記磁気記録媒体に記録磁界を印加して上記磁気記録媒体の周方向に延びる記録列を形成することで情報の記録を行う磁気記録素子と、上記磁気記録媒体からの漏洩磁界を検出して情報の再生を行う磁気再生素子と、上記磁気記録媒体と上記磁気記録素子及び上記磁気再生素子との相対位置を上記磁気記録媒体の上記周方向及び半径方向に移動させる移動機構と、上記情報記録領域において、上記半径方向に関して互いに隣接する上記記録列が上記半径方向に部分的に重複するように上記磁気記録素子及び上記移動機構を制御する磁気記録素子制御手段とを備えている。そして、上記磁気記録素子制御手段は、上記記録列のそれぞれに、互いに隣接する上記記録列のいずれかと上記半径方向に部分的に重複する重複部と、他のいずれの上記記録列とも上記半径方向に重複しない非重複部と、が形成されるように、且つ、上記半径方向に隣接した３本の上記記録列のうち中央の上記記録列に隣接する２本の記録列の両方が上記中央の記録列によって上書きされることで当該上書きされた記録列に上記非重複部を残しつつ上記重複部が形成されるように、制御する。
【００１１】
本発明の磁気記録媒体は、周方向に延びる複数の記録列が形成された情報記録領域を備えた円盤状の磁気記録媒体であって、上記記録列のそれぞれに、互いに隣接する上記記録列のいずれかと半径方向に部分的に重複する重複部と、他のいずれの上記記録列とも上記半径方向に重複しない非重複部と、が形成されており、且つ、上記半径方向に隣接した３本の上記記録列のうち中央の上記記録列に隣接する２本の記録列の両方が上記中央の記録列によって上書きされることで、当該上書きされた記録列に上記非重複部を残しつつ上記重複部が形成されている。
【００１２】
この磁気記録再生装置及び磁気記録媒体では、他のいずれの記録列とも重複しない非重複部に記録された情報は、他のいずれの記録列を書き換えた後も、書き換えられずに情報が保持されるため、書き換えた記録列以外の記録列を上書きする必要がなくなる。このため、高密度記録が可能なＳｈｉｎｇｌｅ記録を行う磁気記録再生装置であっても、書き換え時の実質的記録レートの低下を防止することが可能となる。
【００１３】
本発明の磁気記録再生装置において、第１記録列の、内周側及び外周側の端の半径位置をそれぞれ、Ｒ１ｉｎ及びＲ１ｏｕｔとし、上記第１記録列の外周側に隣接する第２記録列の、内周側及び外周側の端の半径位置をそれぞれ、Ｒ２ｉｎ及びＲ２ｏｕｔとし、上記第２記録列の外周側に隣接する第３記録列の、内周側及び外周側の端の半径位置をそれぞれ、Ｒ３ｉｎ及びＲ３ｏｕｔとするとき、上記磁気記録素子制御手段が、
Ｒ１ｉｎ＜Ｒ２ｉｎ＜Ｒ１ｏｕｔ＜Ｒ３ｉｎ＜Ｒ２ｏｕｔ＜Ｒ３ｏｕｔ
となるように、制御することが好ましい。
【００１４】
本発明の磁気記録媒体において、第１記録列の、内周側及び外周側の端の半径位置をそれぞれ、Ｒ１ｉｎ及びＲ１ｏｕｔとし、上記第１記録列の外周側に隣接する第２記録列の、内周側及び外周側の端の半径位置をそれぞれ、Ｒ２ｉｎ及びＲ２ｏｕｔとし、上記第２記録列の外周側に隣接する第３記録列の、内周側及び外周側の端の半径位置をそれぞれ、Ｒ３ｉｎ及びＲ３ｏｕｔとするとき、
Ｒ１ｉｎ＜Ｒ２ｉｎ＜Ｒ１ｏｕｔ＜Ｒ３ｉｎ＜Ｒ２ｏｕｔ＜Ｒ３ｏｕｔ
が成り立っていることが好ましい。
【００１５】
この磁気記録再生装置及び磁気記録媒体では、非重複部に記録された情報（Ｒ１ｏｕｔからＲ３ｉｎまでの半径位置に記録された第１記録列の情報）は、他のいずれの記録列を書き換えた後も、書き換えられずに情報が保持されるため、書き換えた記録列以外の記録列を上書きする必要がなくなる。このため、高密度記録が可能なＳｈｉｎｇｌｅ記録を行う磁気記録再生装置であっても、書き換え時の実質的記録レートの低下を防止することが可能となる。
【００１６】
本発明の磁気記録再生装置において、上記磁気再生素子の上記半径方向における幅をＷｒとすると、
（Ｒ３ｉｎ−Ｒ１ｏｕｔ）＞Ｗｒ／２
であることが好ましい。
【００１７】
このようにすることで、磁気再生素子が検出する漏れ磁界の隣接トラックからのトラック間クロストーク等の成分は、再生を行うトラックよりも小さくなり、再生エラーが生じにくくなる。
【００１８】
本発明の磁気記録再生装置において、上記磁気記録媒体にトラッキングパターンが形成されており、上記第２記録列に形成された上記非重複部の再生時において、上記トラッキングパターンから検出される信号に基づき、上記磁気再生素子の上記半径方向における中心位置Ｐｒが、
Ｒ１ｏｕｔ＜Ｐｒ＜Ｒ３ｉｎ
を満たすように、上記磁気再生素子及び上記移動機構を制御する磁気再生素子制御手段をさらに備えていることが好ましい。
【００１９】
このようにすることで、任意の記録列を再生する際に、他のいずれの記録列を書き換えた後も、書き換えられずに保持された情報を再生することが可能となり、再生する記録列以外の記録列が書き換えられた場合でも、再生エラーが生じ難くなる。
【発明の効果】
【００２０】
以上の説明に述べたように、本発明によれば、他のいずれの記録列とも重複しない非重複部に記録された情報は、他のいずれの記録列を書き換えた後も、書き換えられずに情報が保持されるため、書き換えた記録列以外の記録列を上書きする必要がなくなる。このため、高密度記録が可能なＳｈｉｎｇｌｅ記録を行う磁気記録再生装置であっても、書き換え時の実質的記録レートの低下を防止することが可能となる。
【図面の簡単な説明】
【００２１】
【図１】本発明の第１実施形態に係る磁気記録媒体に形成された複数の記録列を模式的に示した図である。
【図２】図１に示す磁気記録媒体に対して記録再生を行う磁気記録再生装置の概略構成を示す図である。
【図３】図２に示す磁気記録再生装置の記録再生ヘッドの概略構成を示す図である。
【図４】本発明の第１実施形態の変形例に係る磁気記録媒体に形成された複数の記録列を模式的に示した図である。
【図５】本発明の第２実施形態に係る磁気記録媒体に形成された複数の記録列及びトラッキングパターンを模式的に示した図である。
【図６】図５に示す複数の記録列の一部の拡大図である。
【図７（ａ）（ｂ）】従来例に係る磁気記録媒体に形成された複数の記録列を模式的に示した図である。
【図７（ｃ）（ｄ）】従来例に係る磁気記録媒体に形成された複数の記録列を模式的に示した図である。
【発明を実施するための形態】
【００２２】
＜第１実施形態＞
以下、本発明の第１実施形態について説明する。本実施形態の磁気記録再生装置４は、図２に示すように、サスペンション５と、スピンドル６と、ボイスコイルモータ７と、ランプ機構８と、記録再生ヘッド９と、サスペンション５、ボイスコイルモータ７及び記録再生ヘッド９を制御する制御部２０とを有している。また、図２では、磁気記録再生装置４は、円盤状の磁気記録媒体３を含んでいる。磁気記録媒体３の構造、磁気記録再生装置４による磁気記録媒体３の記録再生方法、及び制御部２０の詳細については、後に詳述する。
【００２３】
サスペンション５は、その一端側においてボイスコイルモータ７に固定されており、ボイスコイルモータ７とは反対側の端部に、磁気記録媒体３に対して磁界を印加する記録再生ヘッド９を有している。スピンドル６は、磁気記録再生装置４が磁気記録媒体３に情報の記録再生を行うときに、磁気記録媒体３を反時計周り（図２の矢印方向）に回転させるものである。なお、磁気記録媒体３の中心部にはスピンドル６と嵌合可能な孔が形成されている。ボイスコイルモータ７は、サスペンション５に取り付けられた記録再生ヘッド９が磁気記録媒体３上を磁気記録媒体３の半径方向（クロストラック方向）に移動するように、サスペンション５を移動させるものである。すなわち、記録再生ヘッド９は、ボイスコイルモータ７の作動に応じて、磁気記録媒体３の半径方向における位置を変更させることができる。ランプ機構８は、磁気記録媒体３に情報の記録再生を行わないときに、記録再生ヘッド９を退避させるためのものである。すなわち、情報の記録再生を行わないときには、ランプ機構８において記録再生ヘッド９が固定される。
【００２４】
なお、本発明の「移動機構」は、スピンドル６及びこれを回転させる図示しないモータ（周方向）と、サスペンション５（半径方向）と、ボイスコイルモータ７（半径方向）とで構成されている。
【００２５】
記録再生ヘッド９は、磁化情報の記録と再生を行うものである。具体的には、記録再生ヘッド９は、図３に示すように、磁気記録媒体３に近い面（すなわち、磁気記録媒体３と対向する面）に、垂直磁気記録媒体用の磁気記録素子１０と磁気再生素子１１とを有している。
【００２６】
磁気記録素子１０は、磁気記録媒体３に情報を記録するときに、この磁気記録媒体３に対して記録可能な強度の磁界を印加し、磁気記録媒体３の円周方向（トラック方向）に延びる記録列を形成するものである。これにより、例えば、磁気記録媒体３の磁化方向を決定することができる。磁気再生素子１１は、磁気記録媒体３からの漏洩磁界を検出して磁化パターンを読み出し、情報の再生を行うものである。なお、磁気記録素子１０と磁気再生素子１１との磁気記録媒体３から見た円周方向における位置関係は、記録再生ヘッド９が回転する磁気記録媒体３の任意の位置を通過するとき、この任意の位置上を磁気再生素子１１が先に通過し、磁気記録素子１０がその後に通過するような位置関係となっている。
【００２７】
以上のように、磁気記録再生装置４は、スピンドル６及びサスペンション５の動作と、記録再生ヘッド９による磁界の印加とを制御することにより、磁気記録媒体３の所定の位置に記録再生を行うことができる。そのために、磁気記録再生装置４は、サスペンション５、スピンドル６等の各種機能を制御するための所定の演算処理を行う制御部２０を有している。制御部２０は、例えばＣＰＵ（Central Processing Unit）等によって実現されている。図２に示すように、制御部２０は、サスペンション５及びボイスコイルモータ７を制御することによって所定のトラック（追従して記録再生を行うトラック）へのトラッキングを実現するトラック位置制御部２１と、記録再生ヘッド９を制御することによって所定のタイミングで磁気記録媒体３に対して情報の記録・再生を実現する記録再生ヘッド制御部２２とを有している。
【００２８】
次に、磁気記録再生装置４に含まれた磁気記録媒体３について説明する。本実施形態の磁気記録媒体３は、ガラス基板上に磁性層を形成した後、研磨により表面を平滑化し、潤滑剤を塗布することで作製される。磁気記録部を形成する材料（磁性層）としては、例えば、Ｃｏ、Ｐｔ、Ｆｅ、Ｎｉ、Ｃｒ、Ｍｎ又はこれらの金属からなる合金が挙げられる。また、上記合金としては、例えば、ＣｏＰｔ、ＳｍＣｏ、ＣｏＣｒ又はＴｂＦｅＣｏ合金を用いることができる。本実施形態では、磁気記録媒体３の片面にのみ磁気記録面が形成されているが、これに限らず、磁気記録媒体３の両面に磁気記録面が形成されていてもよい。この場合には、上記製造方法に示す工程が、磁気記録媒体３の両面に対して実施されればよい。なお、磁気記録媒体３の両面に形成される磁気記録面への潤滑剤の塗布については、同時に行うことも可能である。
【００２９】
続いて、制御部２０が行う制御について説明する。制御部２０は、上述のようにサスペンション５、ボイスコイルモータ７及び記録再生ヘッド９を制御し、磁気記録媒体３に対して図１に示すような複数の記録列を形成する。磁気記録媒体３の回転方向は、図１に示すように、紙面右から左（図２の矢印方向）となっているため、記録列の形成は、紙面左側から右方に向けて順に行われる。なお、磁気記録媒体３は、例えば媒体面内方向に対して垂直方向に磁化されることで、情報が記録されるタイプの媒体である。本実施形態では、図１に示すように、紙面手前から奥に向かう磁化パターン１−１（極性プラス）を黒色で図示し、紙面奥から手前に向かう磁化パターン１−２（極性マイナス）を白色で図示する。以下、極性の区別が必要でない場合は、単純に磁化パターン１と記載する。
【００３０】
制御部２０は、図１に示すように、磁気記録媒体３に対して、磁気記録媒体３の円周方向に延びる複数の記録列（第ｎ番目の記録列の、内周側及び外周側の端の半径位置をそれぞれ、Ｒ（ｎ）ｉｎ及びＲ（ｎ）ｏｕｔとした場合に、Ｒ（ｎ）ｏｕｔ−Ｒ（ｎ）ｉｎの幅を有している）が磁気記録媒体３の半径方向の一方側（図中下方）から他方側（図中上方）に向けて順に形成されるような制御を行う。磁気記録媒体３上に形成された複数の記録列は、半径方向に関して互いに隣接する記録列同士が半径方向に部分的に重複するように形成されている。すなわち、形成された各記録列は、その幅方向（半径方向）の一部の磁化パターンが直後に形成された記録列によって上書きされる。これにより、図１においては、図中下方から上方に向けて順にトラック（後述する非重複部を意味する）Ｔｒ１、Ｔｒ２、Ｔｒ３が形成される。なお、図１において、各トラックの境界線と各トラックの中心線とを、点線と一点鎖線でそれぞれ示している。
【００３１】
制御部２０で行われる処理手順、特に記録方法について説明する。
【００３２】
本実施形態の磁気記録再生装置４において、ｎ番目（ｎ＝１から最大Ｎまでの任意の自然数）の記録列を磁気記録媒体３に形成するとき、サスペンション５、ボイスコイルモータ７及び記録再生ヘッド９を制御する制御部２０は、ｎ番目の記録列を形成する際に、直前に形成されるｎ−１番目の記録列と半径方向に部分的に重複するように制御する。
【００３３】
磁気記録素子制御手段としての制御部２０は、半径方向に複数の記録列が一定の間隔で形成されるように制御を行う。より詳細には、制御部２０は、第ｎ番目のトラックを形成するための第ｎ番目の記録列の、内周側及び外周側の端の半径位置をそれぞれ、Ｒ（ｎ）ｉｎ及びＲ（ｎ）ｏｕｔとし、第ｎ番目の記録列の内周側及び外周側に隣接する記録列をそれぞれ、第ｎ−１番目の記録列及び第ｎ＋１番目の記録列とすると、
Ｒ（ｎ−１）ｉｎ＜Ｒ（ｎ）ｉｎ＜Ｒ（ｎ−１）ｏｕｔ＜Ｒ（ｎ＋１）ｉｎ＜Ｒ（ｎ）ｏｕｔ＜Ｒ（ｎ＋１）ｏｕｔ      （Ａ）
となるように制御を行う。このようにすることで、いかなる状態においても、少なくともＲ（ｎ−１）ｏｕｔからＲ（ｎ＋１）ｉｎの半径範囲は、他のいずれの記録列とも重複しない非重複部となり、この非重複部に第ｎ番目の情報が残る。
【００３４】
以下、図１（ａ）及び図１（ｂ）を用いて、さらに詳しく説明する。磁気情報が記録されていない領域に記録を行う場合は、第１番目のトラックを形成するための第１番目の記録列から形成し、第２番目の記録列、第３番目の記録列、…と順に式（Ａ）にしたがって複数の記録列を形成する。よって、Ｒ（３）ｏｕｔからＲ（５）ｉｎの半径範囲は、他のいずれの記録列とも重複しない非重複部となり、この非重複部に第４番目のトラックＴｒ４の情報が残ることになる。ここで、仮に、Ｒ（３）ｏｕｔ≧Ｒ（５）ｉｎである場合、第３番目のトラックＴｒ３を形成するための記録列のみ書き換える際、第４番目のトラックＴｒ４の情報は保持されず、第３番目のトラックＴｒ３を形成するための記録列の記録情報がトラックＴｒ４に上書きされた状態となる。結果、第４番目のトラックＴｒ４に相当する半径位置で、第３番目のトラックＴｒ３を形成するための記録列の情報を再生してしまい、再生エラーが生じてしまう。記録列がＰＬＬ（Phase Locked Loop）引き込み用のパターンを含む場合、ＰＬＬ引き込み用のパターンの再生エラーによって、誤ったクロック生成等、ＰＬＬ引き込みエラーを生じてしまう。よって、このような再生エラーを防止するにために、第４番目のトラックＴｒ４を形成するための記録列を上書きしなければならず、同様にして、第５番目以降の記録列を上書きしなければならない。
【００３５】
しかしながら、本実施形態においては、
Ｒ（４）ｉｎ＜Ｒ（３）ｏｕｔ＜Ｒ（５）ｉｎ＜Ｒ（４）ｏｕｔ
となっているため、第４番目のトラックＴｒ４の情報は、幅Ｗ（Ｔｒ４）を有するＲ（３）ｏｕｔからＲ（５）ｉｎの半径範囲で保持され、第５番目以降の記録列の上書きを行わなくてもよい。このため、書き換え時に要するトータルでの記録時間が短縮され、実質的記録レート低下を防止することができる。
【００３６】
なお、各記録列の半径方向への幅が等しい場合は、
Ｒ（ｎ−１）ｏｕｔ＜Ｒ（ｎ）ｏｕｔであれば、Ｒ（ｎ−１）ｉｎ＜Ｒ（ｎ）ｉｎであり、また、
Ｒ（ｎ）ｉｎ＜Ｒ（ｎ＋１）ｉｎであれば、Ｒ（ｎ）ｏｕｔ＜Ｒ（ｎ＋１）ｏｕｔであるため、式（Ａ）は、単純に、
Ｒ（ｎ）ｉｎ＜Ｒ（ｎ−１）ｏｕｔ＜Ｒ（ｎ＋１）ｉｎ＜Ｒ（ｎ）ｏｕｔ      （Ｂ）
と表現することも可能である。
【００３７】
同様に、各記録列の半径方向への幅が等しく、トラックピッチが一様である場合、式（Ａ）は、トラックピッチＷＴｒ（例えば、Ｒ（ｎ）ｉｎ−Ｒ（ｎ−１）ｉｎ）及び磁気記録素子が形成する磁気パターンの半径方向への幅ＷＷ（例えば、Ｒ（ｎ）ｏｕｔ−Ｒ（ｎ）ｉｎ）を用いて、
ＷＷ／２＜ＷＴｒ＜ＷＷ        （Ｃ）
と表現することもできる。
【００３８】
本実施形態では、式（Ａ）を満たしているため、第ｎ番目の記録列の情報が、Ｒ（ｎ−１）ｏｕｔからＲ（ｎ＋１）ｉｎの半径範囲で保持される。したがって、磁気記録媒体の情報が記録されていない領域において、記録列は必ずしも内周から外周に向かう方向又はその逆方向に記録されなくてもよい。すなわち、記録列がランダムな順番で形成されるような制御を行うことも可能である。
【００３９】
本実施形態においては、磁気再生素子１１の半径方向における幅（センシング領域の幅）をＷｒとすると、
｛Ｒ（ｎ＋１）ｉｎ−Ｒ（ｎ−１）ｏｕｔ｝＞Ｗｒ／２        （Ｄ）
を満たしている。
【００４０】
式（Ｄ）を満たさない場合、第ｎ番目のトラックＴｒ（ｎ）を書き換えた後に、第ｎ番目のトラックＴｒ（ｎ）の再生を行う際、トラックＴｒ（ｎ）の情報が保持されている領域の半径方向への幅は、磁気再生素子１１の幅Ｗｒの半分未満となっている。したがって、いかにトラッキングを行おうとも、検出する漏れ磁界の半分以上は隣接トラックからのトラック間クロストーク等の成分となって、これは再生を行うトラックよりも大きくなる虞が大きい。
【００４１】
一方、式（Ｄ）を満たす場合、第ｎ番目のトラックＴｒ（ｎ）を書き換えた後に、第ｎ番目のトラックＴｒ（ｎ）の再生を行う際、トラックＴｒ（ｎ）の情報が保持されている領域の半径方向への幅は、磁気再生素子１１の幅Ｗｒの半分より広くなる。このため、再生すべきトラックに対して磁気再生素子１１がトラッキングされることで、漏れ磁界の隣接トラックからのトラック間クロストーク等の成分は、再生を行うトラックよりも小さくなり、再生エラーが生じにくくなる。
【００４２】
このようにすることで、隣接する内周側及び外周側のトラックからの信号よりも、再生を行うトラックからの信号が強く検出されることになり、再生エラーを生じ難くすることが可能となる。
【００４３】
＜変形例＞
実施形態１の変形例について説明する。本変形例においては、２本の隣接するトラック（例えば、トラックＴｒ６とＴｒ７）を１組として、図４（ａ）に示すように、Ｒ（７）ｉｎからＲ（６）ｏｕｔまでの半径範囲が、トラックＴｒ６及びＴｒ７を形成するための２つの記録列の重複部となっている。また、Ｒ（６）ｉｎからＲ（７）ｉｎまでの半径範囲及びＲ（６）ｏｕｔからＲ（７）ｏｕｔまでの半径範囲がそれぞれ、トラックＴｒ６及びＴｒ７を形成するための２つの記録列の非重複部となっている。同様にして、トラックＴｒ８とＴｒ９も形成されており、Ｒ（７）ｏｕｔ≦Ｒ（８）ｉｎ（図４（ａ）では、Ｒ（７）ｏｕｔ＝Ｒ（８）ｉｎ）となっている。本変形例において、例えばトラックＴｒ９の幅Ｗ（Ｔｒ９）は、Ｒ（９）ｏｕｔ−Ｒ（８）ｏｕｔである（図４（ｂ）参照）。
【００４４】
このように、記録列のそれぞれに、半径方向において、互いに隣接する記録列のいずれかと部分的に重複する重複部と、半径方向において、他のいずれの記録列とも重複しない非重複部とが形成されるように、記録列を形成することで、他のいずれの記録列とも重複しない非重複部（Ｒ（６）ｉｎからＲ（７）ｉｎまでの半径範囲、Ｒ（６）ｏｕｔからＲ（７）ｏｕｔまでの半径範囲、Ｒ（８）ｉｎからＲ（９）ｉｎまでの半径範囲、Ｒ（８）ｏｕｔからＲ（９）ｏｕｔまでの半径範囲）に記録された情報は、他のいずれの記録列を書き換えた後も、書き換えられずに情報が保持される。例えば、図４（ａ）に示す状態から第８番目のトラックＴｒ８を形成するための記録列のみ書き換えた場合（Ｔｒ８´）、図４（ｂ）に示すように、当該記録列によって他のトラックが書き換えられることがない。したがって、書き換えた記録列以外の記録列を上書きする必要がなくなる。このため、高密度記録が可能なＳｈｉｎｇｌｅ記録を行う磁気記録再生装置であっても、書き換え時の実質的記録レートの低下を防止することが可能となる。
【００４５】
＜第２実施形態＞
次に、本発明の第２実施形態について説明する。なお、第１実施形態と共通する各部位には同じ符号を付し、詳細な説明を省略する。
【００４６】
図５は本実施形態における磁気記録媒体３の概略図であり、図６は、図５の一部を拡大し、一部を省略した詳細図である。図５及び６に示すように、磁気記録媒体３には、磁気記録媒体３上の各トラックへのトラッキングサーボ制御を行うための磁化パターンであるトラッキングパターン１２（バーストパターン）が形成されている。トラッキングパターン１２は、磁気記録再生装置４の製造時に、例えば、サーボトラックライタ（ＳＴＷ）により形成されたものである。磁気記録再生装置４に組み込む前の磁気記録媒体３を、ＳＴＷ用の磁気記録ヘッドを備えたＳＴＷにセットし、磁気記録媒体３を回転させながら磁界を印加することで、磁気記録媒体３に、所定の磁気的なトラッキングパターン１２が形成される。なお、トラッキングパターン１２の形成方法は、上記限られるものではなく、例えば、予め磁気的にサーボ情報を記録したマスタとなる媒体を用いた磁気転写（スタンピング方式）によって、トラッキングパターン１２を形成することもできる。トラッキングパターン１２は、後述するように磁気記録媒体３上に形成された複数の記録列のそれぞれに対して形成されており、磁気再生素子１１によって再生可能に記録されている。なお、図５に示すとおり、トラッキングパターン１２は、複数の小パターン（例えば、１２−１〜１２−３）の集合である。
【００４７】
（記録方法）
磁気記録素子制御手段としての制御部２０は、半径方向に複数の記録列が一定の間隔で形成されるように制御を行う。より詳細には、制御部２０は、第ｎ番目のトラックを形成するための第ｎ番目の記録列の、内周側及び外周側の端の半径位置をそれぞれ、Ｒ（ｎ）ｉｎ及びＲ（ｎ）ｏｕｔとし、第ｎ番目の記録列の内周側及び外周側に隣接する記録列をそれぞれ、第ｎ−１番目の記録列及び第ｎ＋１番目の記録列とすると、式（Ａ）が成り立つように制御を行う。このようにすることで、いかなる状態においても、少なくともＲ（ｎ−１）ｏｕｔからＲ（ｎ＋１）ｉｎの半径範囲が非重複部となり、この非重複部に第ｎ番目の情報が残る。
【００４８】
磁気情報が記録されていない領域に記録を行う場合は、第１番目のトラックを形成するための第１番目の記録列から形成し、第２番目の記録列、第３番目の記録列、…と順に式（Ａ）にしたがって複数の記録列を形成する。つまり、図５に示す通り、第２番目、第３番目及び第４番目のトラックをそれぞれトラックＴｒ１１、トラックＴｒ１２及びトラックＴｒ１３とすると、実施形態１と同様に、
Ｒ（１２）ｉｎ＜Ｒ（１１）ｏｕｔ＜Ｒ（１３）ｉｎ＜Ｒ（１２）ｏｕｔ
となっているため、第３番目のトラックＴｒ１２の情報は、少なくともＲ（１１）ｏｕｔからＲ（１３）ｉｎの半径範囲で非重複部として保持されている。したがって、第３番目のトラックＴｒ１２を形成するための記録列のみ書き換えた際に、第４番目以降の記録列の上書きを行わなくてもよい。このため、書き換え時に要するトータルでの記録時間が短縮され、実質的記録レート低下を防止することができる。
【００４９】
（再生方法）
磁気再生素子１１は、トラッキングパターン１２を検出することで、磁気記録媒体３に対する半径位置を検知し、所望のトラック（半径位置）に対してトラッキングを行いながら、情報の再生を行う。本実施形態では、トラッキングパターン１２（詳細には後述する小パターンであって、偶数番目のトラックか奇数番目のトラックかを判別するための後述する小パターンを除く）がトラックピッチと同じピッチで形成されている。
【００５０】
小パターン１２−１の内周側の端及び小パターン１２−２の外周側の端は、ともにトラックＴｒ１２の中心、つまり、｛Ｒ（１１）ｏｕｔ＋Ｒ（１３）ｉｎ｝／２で表される半径位置に配置されている。このため、周方向において、小パターン１２−１が配置された位置で検出される信号振幅と、小パターン１２−２が配置された位置で検出される信号振幅とが等しくなるように、磁気再生素子１１の半径位置を制御することによって、磁気再生素子１１の半径方向における中心位置Ｐｒが、トラックＴｒ１２の中心、つまり、｛Ｒ（１１）ｏｕｔ＋Ｒ（１３）ｉｎ｝／２で表される半径位置にあるように制御することができる。
【００５１】
なお、小パターン１２−３は偶数番目のトラックか奇数番目のトラックかを判別するためのパターンである。本実施形態においては、トラックＴｒ１２の再生に先立ち、小パターン１２−１及び小パターン１２−２の信号を連続的に検出した後に、一定の間隔（小パターン１つ分の間隔）をおいて小パターン１２−３の信号を検出することで、奇数番目のトラックであると判断される。例えばＴｒ１１、Ｔｒ１３の場合には、小パターン１２−１及び小パターン１２−２’、又は、小パターン１２−１’及び小パターン１２−２の信号を連続的に検出した後に、さらに連続して小パターン１２−３の信号を検出した後、一定の間隔（小パターン１つ分の間隔）で信号が検出されない場合は、偶数番目のトラックと判断される。
【００５２】
トラッキングパターンは、上記に限られるものではなく、トラッキングパターンに含まれる小パターンの配置が上記とは異なっていてもよく、また、検出される信号の位相に基づいてトラッキングが行われる形態のトラッキングパターンであってもよい。さらに、トラッキングパターンの前後に、アドレス情報が記録されたアドレスパターンが配置されていてもよい。
【００５３】
また、磁気再生素子１１の中心位置Ｐｒは、必ずしもトラックＴｒ１２の中心、つまり、｛Ｒ（１１）ｏｕｔ＋Ｒ（１３）ｉｎ｝／２で表される半径位置とする必要はなく、磁気再生素子１１の中心位置Ｐｒが、Ｒ（１１）ｏｕｔ＜Ｐｒ＜Ｒ（１３）ｉｎとなるように制御することで、トラックＴｒ１２が書き換えられた後の状態においても、隣接するトラックＴｒ１１又はトラックＴｒ１３からの信号よりも、トラックＴｒ１２からの信号が強く検出されることになり、再生エラーを生じ難くすることが可能となる。
【００５４】
この場合、小パターン１２−１の内周側の端及び小パターン１２−２の外周側の端は、Ｒ（１１）ｏｕｔからＲ（１３）ｉｎの間の半径位置に配置されていればよい。このようにすることで、周方向において、小パターン１２−１が配置された位置で検出される信号振幅と、小パターン１２−２が配置された位置で検出される信号振幅とが等しくなるように、磁気再生素子１１の半径位置を制御することによって、磁気再生素子１１の半径方向における中心位置Ｐｒが、Ｒ（１１）ｏｕｔ＜Ｐｒ＜Ｒ（１３）ｉｎとなるように制御することができる。なお、信号高度やトラック間クロストーク、ノイズレベルに対応して、エラーレート等の再生信号品質を最適化するために、Ｒ（１１）ｏｕｔ＜Ｐｒ＜Ｒ（１３）ｉｎを満たす範囲で、電気的なオフセットをかけることで、小パターン１２−１及び小パターン１２−２から検出される信号振幅が等しくなる位置とはわずかに異なる半径位置で再生を行ってもよい。
【００５５】
また、磁気再生素子１１がトラッキングパターン１２から検出する信号に基づいてトラッキングを行いながら、磁気記録素子１０が記録列を形成してもよい。再生を行うトラックの半径方向における中心位置と、形成する記録列の半径方向における中心位置とが異なる場合、記録列を形成する際に、電気的なオフセットをかけることで、小パターン１２−１及び小パターン１２−２から検出される信号振幅が等しくなる位置とは異なる半径位置でトラッキングを行うことができる。このようにすることで、記録列を形成する際にも、各トラックの半径位置に対応したトラッキングパターン１２を利用してトラッキングを行うことができるため、再生時に対応したトラッキングパターンとは別に、さらに、記録列の形成時に対応したトラッキングパターンを設ける必要がないので、記録容量を減らすことなく記録エラーを低減させることができる。
【００５６】
〔光（熱）アシスト型の磁気記録再生装置への応用〕
本発明は、光（熱）アシスト型の磁気記録再生装置についても同様に提供することができる。この場合、磁気記録再生装置は、記録媒体を局所的に昇温させるための光（熱）源を有しており、記録媒体は、光（熱）により昇温されることによって、所望の大きさまで反転磁界が低下する磁気記録膜を有する磁気記録媒体であればよい。
【産業上の利用可能性】
【００５７】
本発明に係る磁気記録再生装置は、Ｓｈｉｎｇｌｅ方式を採用した高密度の磁気記録再生装置及び磁気記録媒体に好適である。
【符号の説明】
【００５８】
１  磁化パターン
３  磁気記録媒体
４  磁気記録再生装置
５  サスペンション（移動機構）
６  スピンドル（移動機構）
７  ボイスコイルモータ（移動機構）
１０  磁気記録素子
１１  磁気再生素子
１２  トラッキングパターン（バーストパターン）
２０  制御部（磁気記録素子制御手段）
【図１】
0005548993.tif 000002
【図２】
0005548993.tif 000003
【図３】
0005548993.tif 000004
【図４】
0005548993.tif 000005
【図５】
0005548993.tif 000006
【図６】
0005548993.tif 000007
【図７（ａ）（ｂ）】
0005548993.tif 000008
【図７（ｃ）（ｄ）】
0005548993.tif 000009